(57)【要約】【課題】  大きさの異なる複数の種類のカードを同一のカードコネクタに挿入して使用する際に、カードに特別な細工を加えること無く、好適に利用でき、小さいカードを受けるカード受け部材が、大きなカードの挿入時に下方に変位して大きなカードの挿入を可能にする。【解決手段】  挿入されるカードを収容するカード収容部と、前記カード収容部に配置された複数個のコンタクトを有するカードコネクタにおいて、前記カード収容部に挿入される第１のカードを受ける弾性変位可能なカード受け部材と、前記カード収容部に挿入される第２のカードを受ける前記カード受け部材に形成されたカード受け部と、を有するカード挿入切換機構が備えられたことを特徴とする。【選択図】  図３
2005158309.tif 000002
【特許請求の範囲】
【請求項１】
挿入されるカードを収容するカード収容部と、
前記カード収容部に配置された複数個のコンタクトを有するカードコネクタにおいて、
前記カード収容部に挿入される第１のカードを受ける弾性変位可能なカード受け部材と、
前記カード収容部に挿入される第２のカードを受ける前記カード受け部材に形成されたカード受け部と、
を有するカード挿入切換機構が備えられたことを特徴とするカードコネクタ。
【請求項２】
前記第１のカードは、前記第２のカードより大きいカードであり、前記第１のカードがカード収容部に挿入されると前記カード受け部材が下方に弾性変位するカード挿入切換機構とからなることを特徴とする請求項１記載のカードコネクタ。
【請求項３】
前記カード受け部は、前記カード受け部材の固定された端部から延びるアーム部の先端の弾性変位可能な自由端部が折り曲げられて形成されていることを特徴とする請求項１記載のカードコネクタ。
【請求項４】
挿入されるカードを収容するカード収容部と、
前記カード収容部に配置された複数個のコンタクトを有するカードコネクタにおいて、
前記カード収容部に挿入される第１のカードを受ける弾性変位可能なカード受け部材と、
前記カード収容部に挿入される第２のカードを受ける前記カード受け部材に形成されたカード受け部を有するカード挿入切換機構と、
前記挿入されるカードを排出するためのイジェクタ機構と、
前記イジェクタ機構に前記カード挿入切換機構が設けられたことを特徴とするカードコネクタ。
【発明の詳細な説明】
【技術分野】
【０００１】
本発明は、大小の大きさの異なる複数種類の小型のメモリカードを使用できるカードコネクタに関するものである。
【背景技術】
【０００２】
近年、携帯電話機、電話機、ＰＤＡ（personal  digital  assistance）、ゲーム機、ノートパソコン、携帯型オーディオ、テレビ、ビデオ、デジタルカメラ、情報端末機器等の電子機器においては、ＣＰＵやメモリ用のＩＣチップと呼ばれるＩＣ部品が組込まれたＩＣカードやＰＣカード、ＭＭＣ（ＳＤ）カード、ＳＭカード等の利用が非常に増大し、ＩＣカードやＰＣカード、ＭＭＣ（ＳＤ）カードやＳＭカード等の小型のメモリカードを挿入するカードコネクタが広く求められている。特に、カードコネクタとして、コネクタ全体の形状を薄くして小型化を図り、カードの挿入と抜き出しに必要な十分な強度を有し、挿入されたカードを容易に放出することができ、大小の大きさの異なる複数の種類のカードを利用できるカードコネクタが求められている（例えば、特許文献１参照。）。
【０００３】
【特許文献１】特許第３３９６４５７号公報
【発明の開示】
【発明が解決しようとする課題】
【０００４】
しかしながら、従来のカードコネクタにおいては、ＩＣカードやＰＣカードまたはＭＭＣ（ＳＤ）カードやＳＭカード等のカードを挿入して用いる際に、厚さや幅等の大小の大きさの異なるカードを同一のカードコネクタにおいて使用する場合があるので、カードに何等かの細工を施すことが必要である。さらに、従来のこのようなカードコネクタにおいては、各カードの寸法に合致したカード挿入口がカード装着部の開口として形成されている。この場合には、使用機器の小型化と内部プリント基板の実装スペースが制限されること等の理由によって、１つのカードコネクタで大小の大きさの異なるカードの装着が要求されるようになってきている。
【０００５】
従来におけるこのようなカードコネクタにおいては、大きいカードの挿入の妨げにならないように、カード受け部の厚みが制限されている。そのため、厚みの薄い小さいカードを挿入した場合に、小さいカードはカード受け部を乗り越してしまい、カードが適切な位置に止まらず、保持されない等の問題が発生する。
【０００６】
これを改善するために、大きいカードの挿入時には、カード受け部が上下に変位してカードの挿入の妨げにならないようにし、小さいカードの挿入時には、カード受け部のカード当接部が張り出してカードの乗り越えを防止して、カードが適切な位置で保持されるようにしている。
【０００７】
しかしながら、このような従来における手段では、カードが全体的に長さや幅や、厚み等の大小の大きさが異なるために、カードに合わせたコンタクトを設定すると、大きいカードの挿入時にコンタクトの変位が大きくなり、大きいカードを挿入、抜き出す時に、これらコンタクトによってカードに傷が付き、コンタクトの接触部が大きく削られて挿抜耐久性が減少する原因となり、さらにまた、コンタクトの座屈を防止するためにコンタクトの先端部に逃げを設けることによって実装高さが大きくなる等の問題点が見られる。
【０００８】
従って、本発明の目的は、このような従来における問題点を解決するために、厚さや幅や長さ等の大小の大きさの異なる複数の種類のカードを同一のカードコネクタに挿入して使用する際に、カードに特別な細工を加えること無く、好適に利用でき、小さいカードを受けるカード受け部材が、大きなカードの挿入時に下方に変位してカードの挿入を可能にすることができるカードコネクタを提供することにある。
【課題を解決するための手段】
【０００９】
上述の目的を達成するために、本発明のカードコネクタは、挿入されるカードを収容するカード収容部と、前記カード収容部に配置された複数個のコンタクトを有するカードコネクタにおいて、前記カード収容部に挿入される第１のカードを受ける弾性変位可能なカード受け部材と、前記カード収容部に挿入される第２のカードを受ける前記カード受け部材に形成されたカード受け部と、を有するカード挿入切換機構が備えられたことを特徴とする。
【発明の効果】
【００１０】
本発明のカードコネクタによれば、大きさの異なった第１、第２のカードにそれぞれ対応して変位するカード受け部材を有するカード挿入切換機構を設けて、コネクタ本体内へのカードの挿入時に、小さいカードの第２のカードをカード受け部材で受け、あるいはまたカード受け部材が下方に変位されることによって、大きなカードの第１のカードが上を通過するように構成され、１つのカードコネクタによって、大小の大きさの異なる第１および第２のカードの挿入を可能とするように切換えることができ、大きさの異なる複数の種類の、これら第１、第２のカードを、カード自体に何等の細工を施さずに、かつ何等の支障も無く共通して使用することができ、しかも、カードコネクタ自体を偏平で薄形のハウジング形状に製作することができて、携帯電話機やカラオケ用マイクのような情報端末機器や各種の電子機器等に好適に使用することが可能である。
【発明を実施するための最良の形態】
【００１１】
本発明のカードコネクタは、挿入されるカードを収容するカード収容部と、前記カード収容部に配置された複数個のコンタクトを有するカードコネクタにおいて、前記カード収容部に挿入される第１のカードを受ける弾性変位可能なカード受け部材と、前記カード収容部に挿入される第２のカードを受ける前記カード受け部材に形成されたカード受け部と、を有するカード挿入切換機構が備えられ、カード挿入切換機構のカード受け部材によってコネクタ本体内への大小の第１、第２のカードの挿入が切換えることができるように構成されている。
【００１２】
本発明のその他の目的や特徴および利点は、添付図面に示される本発明の実施形態についての以下の詳細な説明から明らかである。
【実施例１】
【００１３】
図１乃至図１３は、本発明のカードコネクタの一実施例を示す図で、図１は、本発明のカードコネクタをカード挿入口側から見た全体の斜視図、図２は、その平面図で、図３は、図１の本発明のカードコネクタを、カバー部材を取外して示す図１と同様な斜視図、図４は、図３の本発明のカードコネクタのカバー部材を取外して示す平面図で、図５は、カード受け部材がフリー状態の時の斜視図、図６は、カード受け部材が下方に変位された状態で示す図５と同様な斜視図である。また、図７乃至図９は、小さなカードを用いる時の図で、図１０乃至図１３は、大きなカードを用いる時の図である。
【００１４】
図１乃至図６に示されるように、本発明のカードコネクタ１は、後述するように、小さなカードＡと、大きなカードＢとを共通して使用することができるもので、本発明において使用されるこれら小さなカードＡと大きなカードＢとを、以下に、単に、「小カードＡ」、「大カードＢ」と言うものとする。なお、本発明においては、第１のカードが、大カードＢであり、第２のカードが小カードＡである。
【００１５】
図１乃至図６に示されるように、本発明におけるカードコネクタ１は、コネクタ本体２と、カバー部材３と、複数個のコンタクト４と、カード受け部材８を有するカード挿入切換機構５と、イジェクタ機構６とを有している。
【００１６】
本発明のカードコネクタ１は、コネクタ本体２とカバー部材３とを組み合わせて偏平な薄いハウジング形状のケースとして形成され、小カードＡと大カードＢとが挿入されて装着されるカード装着部７が内部に設けられている。
【００１７】
このような本発明のカードコネクタ１は、例えば情報端末機器等に装着して用いられるように構成されている。
【００１８】
また、本発明のカードコネクタ１において、カード装着部７の一方の側は開放されていて、カード挿入口１０が形成されており、さらに、小カードＡと大カードＢとを挿入して使用できるように、このカード挿入口１０に続くカード装着部７の一方の側壁１１側に段付きの段差部１４が形成されている。このような段差部１４は、小カードＡと大カードＢの案内路を形成するように上部段差部１５と下部段差部１６とから成り、２段階の階段状に形成されている。上部段差部１５は、第１のカードである大カードＢのための上案内路を形成している。下部段差部１６は、第２のカードである小カードＡのための下案内路を形成している。
【００１９】
従って、後述するように、第２のカードである小カードＡの場合には、幅の狭い下部段差部１６が用いられて、これら下部段差部１６のところに、第２のカードの小カードＡが挿入されて挟み込まれた状態に位置されるようになる。このとき、第２のカードの小カードＡの斜めに切欠かれた角部ａが、後述のカード挿入切換機構５のカード受け部材８のカード受け部９に当接するようになる。
【００２０】
また、第１のカードである大カードＢの場合には、幅の大きな上部段差部１５の上に、第１のカードの大カードＢが挿入されて位置されるようになり、第１のカードの大カードＢの挿入によって、カード挿入切換機構５のカード受け部材８の上に、第１のカードの大カードＢが位置される。カード挿入切換機構５のカード受け部材８が下方に変位されて、この変位されたカード受け部材８の上に、第１のカードの大カードＢが載るようになる。従って、カード挿入口１０と、これに続くカード装着部７は、下方の下部段差部１６が、第２のカードの小カードＡ用として使用され、上方の上部段差部１５が、第１のカードの大カードＢ用として使用されるように、カード挿入口１０の一方の側の部分が段差の付けられた段付き形状に形成されている。
【００２１】
このように、第１のカードの大カードＢの場合に、幅の大きな上部段差部１５が用いられて、この上部段差部１５の上に、第１のカードの大カードＢの一方の側の部分が位置されて、大カードＢが、カード挿入切換機構５のカード受け部材８の上に載置されてカード受け部材８が下方に変位された状態に置かれるようになる。従って、この段差部１４の外側の端の部分には、側壁１１が配設されていて、大カードＢの一方の側面が案内されるようになっている。
【００２２】
このように、第２のカードの小カードＡと、第１のカードの大カードＢの挿入を切換えるカード挿入切換機構５は、カード受け部材８を有している。このカード受け部材８は、図６に明示されるように、カード挿入側の端部１７が、コネクタ本体２上を滑動する、イジェクタ機構６のイジェクタ部材２１に固着されて支持されており、他方の内側の端部１９が自由端部として弾性変位可能に形成されていて片持ち支持されている。このようなカード挿入切換機構５のカード受け部材８の自由端部１９は、段差部１４の上方に突出するような状態に、アーム部１８が上方に斜めに延びるように取付けられている。
【００２３】
従って、このカード挿入切換機構５のカード受け部材８の上に、第１のカードである大カードＢが載ってカード受け部材８が下方に弾性変位されるように、カード受け部材８が形成されている。さらに、カード受け部材８の自由端部１９側は、先端部分がほぼ凹状に折り曲げられた形状に形成されていて、カード係合部としてのカード受け部９が設けられている。このように形成されたカード受け部材８を有するカード挿入切換機構５によって、大きさの異なる大小の第１、第２のカードの挿入を切換作動することで、第２のカードである小カードＡと、第１のカードである大カードＢとの挿入が規制されて切換えられ、大きさの異なる複数の種類のカードの使用が、本発明におけるような１つのカードコネクタ１において可能となる。
【００２４】
まず、本発明のカードコネクタ１のカード挿入切換機構５におけるカード受け部材８は、先端の自由端部１９側において、横方向に延び、そして下方に折り曲げられ、さらにまた水平方向に延び、そして上方に折り曲げられていて、図示のような屈曲した凹状の形状に形成されており、先端にカード係合部としてのカード受け部９が設けられている。このようなカード受け部材８は、金属板材料から、例えば打ち抜きのようなプレス加工によって形成されて弾性変位可能な条片部材として作られている。従って、カード受け部材８は、端部１７において固着されており、自由端部１９が上下方向に変位可能に弾性支持されていて、カード受け部材８のアーム部１８や自由端部１９に、上方から押圧力が作用されると、アーム部１８が下方に変位されて自由端部１９側が下方に下がるようになる。このようなカード受け部材８のアーム部１８と自由端部１９とが、下方に下がって変位した状態が、図６に示される状態であり、アーム部１８と自由端部１９とが上方に上がったフリーの状態が図５に示される状態である。従って、カード受け部材８は、常時は、図５に示されるフリー状態にある。
【００２５】
また、本発明のカードコネクタ１において、コネクタ本体２は、カード装着部７の他方の側が端壁１３によって閉鎖されており、この端壁１３に沿って複数個のコンタクト４が整列して設けられている。これらコンタクト４は、外部の他の情報端末機器や装置等の端子と接続するための端子が延出するように端子部４Ｃが折り曲げて設けられている。さらにまた、第２のカードの小カードＡや、第１のカードの大カードＢのために、コンタクト４には、コネクタ本体２のほぼ中央に、上方に向かって半円形状に形成された接触部４Ａが形成されており、コネクタ本体２の端壁１３に沿ってコンタクト４が図示されるように、間隔を置いてほぼ平行に整列して取付けられている。
【００２６】
従って、これらコンタクト４は、コネクタ本体２上に、端壁１３に沿った部分において個々に独立して固着されて片持ち支持されており、接触部４Ａが、挿入された第２のカードの小カードＡや、第１のカードの大カードＢのパッド部とそれぞれ良好に弾性接触できるようになっている。
【００２７】
さらにまた、コネクタ本体２の一方の側壁１１側に設けられたイジェクタ機構６は、イジェクタ部材２１と、コイルスプリングのようなばね部材２２とを有しており、イジェクタ部材２１がばね部材２２によって弾性附勢されていてコネクタ本体２上を滑動できるように設けられている。すなわち、図示されるように、ばね部材２２の一端がカード挿入口１０側においてコネクタ本体２に係止され、他端がイジェクタ部材２１に係止されており、イジェクタ部材２１をカード挿入口１０に向かって弾性附勢している。
【００２８】
このような本発明のカードコネクタ１において、コネクタ本体２は、適宜な合成樹脂材料などの絶縁材料によって成形して作られ、金属板材料で作られたカバー部材３と組合せられて偏平なケースとして形成されている。
【００２９】
本発明のカードコネクタ１においては、小カードＡまたは大カードＢは、カードコネクタ１のカード挿入口１０から挿入されて内部のカード装着部７に装着され、挿入された小カードＡまたは大カードＢの下面の先端部に配列された接触パッド等のパッド部と接続されるように、コンタクト４が所要の位置に、所要の高さをもって整列して配置されている。
【００３０】
なお、本実施例において、本発明のカードコネクタ１に用いられているカードＡ、Ｂは、例えば第２のカードである小カードＡとして「マルチメディア（登録商標）カード（ＭＭＣ）」が使用され、第１のカードである大カードＢとして「スマートメディア（登録商標）カード（ＳＭ）」が使用できるように適用されている。しかしながら、本発明は何等このようなカードだけの使用にのみ制限されるものではなく、これらメモリスティックカード等の外に、ＩＣカードや、ＳＩＭカード等の他の同様なメモリカードでも良好に適用できることは勿論である。
【００３１】
このような本発明のカードコネクタ１において、コネクタ本体２の側壁１１に沿って設けられたイジェクタ機構６は、図示されるように、挿入された小カードＡや、大カードＢの排出を行うことができるように構成されている。
【００３２】
カードを排出するためのこのようなイジェクタ機構６は、上記したように、コネクタ本体２の一方の側壁１１に沿って滑動可能に設けられたスライダとしてのイジェクタ部材２１と、このイジェクタ部材２１によって押圧されて弾性変形されるコイルスプリングのようなばね部材２２とを有している。すなわち、図示されるように、ばね部材２２の一端がカード挿入口１０側においてコネクタ本体２に係止され、他端がイジェクタ部材２１に係止されており、イジェクタ部材２１をカード挿入口１０に向かって滑動可能に弾性附勢している。
【００３３】
さらに、イジェクタ部材２１の内側中間部分には、横方向に突出するほぼ三角形状の突起部２３が設けられており、この突起部２３に小カードＡの切欠かれた角部ａが係合するカード受け部材８のカード受け部９を収容できる窪み部２４が設けられると共に、カード受け部９と協働して第２のカードの小カードＡの角部ａを受ける係合部２５が形成されている。
【００３４】
従って、第２のカードの小カードＡの挿入時には、小カードＡの切欠かれた斜めの角部ａがカード受け部材８のカード受け部９に係合すると共に、係合部２５にも当接して一緒に係合するようになる。これによって、本発明のカードコネクタ１のカード挿入口１０に第２のカードの小カードＡが挿入される時に、小カードＡの角部ａがカード受け部材８のカード受け部９に係合して、続いてのさらなる小カードＡの挿入によって、ばね受け部材８と共にイジェクタ部材２１が押されて所定の位置にまで奥の方に動かされ、小カードＡのパッド部がコンタクト４の接触部４Ａと接触されるようになる。この接触状態において小カードＡが固定保持されるように適宜なロック機構が設けられるのが好適である。
【００３５】
また、挿入された小カードＡを取り出すためには、ロック機構を解除すれば、イジェクタ機構６のばね部材２２によって弾性附勢されたイジェクタ部材２１が、カード挿入口１０の方に向かって滑動されるために、カード受け部材８を介して小カードＡが良好に排出されるようになる。
【００３６】
このように構成された本発明のカードコネクタ１において、大きさの異なる小カードＡと大カードＢとを実際に使用する場合に就いて次に説明する。
【００３７】
図７乃至図９は、本発明のカードコネクタに、第２のカードの小カードを使用する場合を示す図で、図７は、本発明のカードコネクタに小カードを挿入した時の、カバー部材を取り外して示す平面図で、カード受け部材の部分を一部拡大して示す図、図８は、その側面図で、カード受け部材の部分を一部拡大して示す図、図９は、図７の小カード挿入時のカード受け部材側からの斜視図で、カード受け部材の部分を一部拡大して示す図である。
【００３８】
先ず、小カードＡを使用する場合には、図７乃至図９に示されるように、本発明のカードコネクタ１のカード挿入口１０から小カードＡが挿入される。
【００３９】
このような第２のカードの小カードＡは、図示のように長さが短く、幅も小さい等の外形寸法が小さなカードである。この第２のカードの小カードＡの場合に、幅は、本発明のカードコネクタ１のカード挿入口１０の下部段差部１６における正常の幅にほぼ等しいか僅かに小さい幅をなしている。
【００４０】
従って、第２のカードの小カードＡが、図示されるようにカードコネクタ１のカード挿入口１０からカードコネクタ１内に挿入される時に、カード挿入口１０の下部段差部１６から小カードＡを挿入することができ、小カードＡが良好に挿入されるので、小カードＡは、カード挿入口１０の下部段差部１６に保持されるようになる。
【００４１】
この場合に、挿入された小カードＡは、角部ａが、まず、カード受け部材８のカード受け部９に当接されるようになる。これによって、小カードＡの切欠かれた斜めの角部ａが、カード挿入切換機構５のカード受け部材８のカード受け部９に係合すると共に、イジェクタ機構６のイジェクタ部材２１の係合部２５にも当接して一緒に係合するようになる。従って、第２のカードの小カードＡの角部ａが、カード受け部材８のカード受け部９に係合し、続いて、さらに、小カードＡを挿入することによって、カード挿入切換機構５のばね受け部材８と一緒にイジェクタ機構６のイジェクタ部材２１が、小カードＡによって押されて所定の位置にまで奥の方に動かされ、小カードＡのパッド部がコンタクト４の接触部４Ａと接触されるようになる。この接触状態において、小カードＡが適宜なロック機構によって好適に固定保持されるようになる。
【００４２】
従って、第２のカードの小カードＡは、この状態において、先端部のパッド部がコンタクト４の接触部４Ａと接触されて接続されている。このような状態において、小カードＡは、本発明のカードコネクタ１内に良好に装着されており、必要に応じて自由に抜き出すことができる。また、このように、本発明のカードコネクタ１内にしっかりと挿入された小カードＡは、コンタクト４の接触部４Ａが接触することによって、小カードＡとコンタクト４との接触が行なわれるようになる。このようにして小カードＡを挿入して装着して、所期の目的となる使用が可能となる。
【００４３】
続いて、この第２のカードの小カードＡを取り出すには、そのまま小カードＡの端部をもって引き抜けば良く、これによって小カードＡをカードコネクタ１から好適に抜き出すことができるようになる。あるいはまた、ロック機構を解除することによって、イジェクタ機構６のイジェクタ部材２１により小カードＡを排出するようにすることもできる。
【００４４】
次に、本発明のカードコネクタ１に、第１のカードの大カードＢを使用する場合に就いて説明する。  
図１０乃至図１３は、本発明のカードコネクタに、第１のカードの大カードを使用する場合を示す図で、図１０は、本発明のカードコネクタに大カードを挿入した時の、カバー部材を取外して示す平面図、図１１はその時の斜視図で、カード受け部材の一部分を拡大して示す図、図１２は図１１に続いてさらに大カードを挿入した時の、カバー部材を取外して示す平面図で、図１３はその時の斜視図で、カード受け部材の一部分を拡大して示す図である。
【００４５】
本発明のカードコネクタ１において、第１のカードの大カードＢを使用する場合には、図１０乃至図１３に示されるように、本発明のカードコネクタ１のカード挿入口１４から第１のカードである大カードＢが挿入される。
【００４６】
この第１のカードの大カードＢは、図示のように長さが長く、かつ幅も大きい等の外形寸法が大きなカードである。この第１カードの大カードＢの場合には、幅は、本発明のカードコネクタ１のカード挿入口１０の上部段差部１５の幅に適合する大きさである。
【００４７】
従って、第１カードの大カードＢをカード挿入口１０からカードコネクタ１の中に挿入すれば、先ず、第１のカードの大カードＢが上部段差部１５の上を側壁１１に沿って挿入されて、カード挿入切換機構５のカード受け部材８のアーム部１８の上に載るようになるので、カード受け部材８のアーム部１８を下方に押し下げるようになる。このために、カード受け部材８は下方に弾性変位されるようになり、図６に示される状態になって、第１のカードの大カードＢがその上を通過するようになり、カードコネクタ１内に大カードＢが挿入されるようになる。さらに、大カードＢを中に挿入して行けば、大カードＢの先端部がイジェクタ部材２１の突部２６に当たるので、これによってイジェクタ部材２１が押されて中に移動されるようになる。
【００４８】
所定の位置にまで、第１のカードの大カードＢが挿入されると、大カードＢのパッド部がコンタクト４の接触部４Ａに接触されて所期の接続が得られる。従って、この状態において適宜なロック機構によってイジェクタ部材２１をロックして固定保持することが出来る。
【００４９】
このようにして第１のカードの大カードＢを挿入して装着して、所期の目的となる使用が可能となる。続いて、大カードＢを取り出すためには、ロック機構のロックを解除すれば、大カードＢは、イジェクト部材２１がばね部材２２によって引っ張られるために、これによって大カードＢがカードコネクタ１から好適に排出されるようになる。
【００５０】
このように、本発明のカードコネクタ１においては、カード挿入切換機構５のカード受け部材８によって、１つのカードコネクタ１によって大きさの異なる第２のカードの小カードＡと第１のカードの大カードＢとの挿入を切換えることで、共通して使用することができ、カード自体に何等、特別な細工を施さずに、かつ何の支障も無く、１つのカードコネクタ１を大きさの異なる複数の種類のカードに共通して使用することができる。
【００５１】
また、本発明によれば、カードコネクタ１自体を偏平で薄形のハウジング形状のケースとして製作することができ、携帯電話機やゲーム機、ノートパソコン、携帯型オーディオ、テレビ、ビデオ、デジタルカメラ、カラオケ用マイク等のような情報端末機器や各種の電子機器に好適に使用することが可能である。
【００５２】
さらに、本発明のカードコネクタ１においては、可動部分が、カード挿入切換機構５のカード受け部材８と、イジェクタ機構６のイジェクタ部材２１だけなので、少ない部材数で済み、しかもシンプルな構造に形成できて、小型化が可能であり、各部材の取換えが容易である等の効果が得られる。
【００５３】
このように、本発明のカードコネクタ１においては、１つのカードコネクタ１によって大きさの異なる複数の種類の、第２のカードの小カードＡと第１のカードの大カードＢとを、カード自体に何等の特別なことを施さずに、かつ何の支障も無く共通して使用することができる。また、本発明によれば、カードコネクタ１自体を偏平で薄形のハウジング形状のコネクタ本体２とカバー部材２とによって製作することができて、低背化して薄形に製作することが可能であり、携帯電話機やゲーム機、ノートパソコン、携帯型オーディオ、テレビ、ビデオ、デジタルカメラ、カラオケ用マイク等のような情報端末機器や各種の電子機器等に好適に使用することが可能である。
【産業上の利用可能性】
【００５４】
本発明のカードコネクタは、携帯電話機やゲーム機、ノートパソコン、携帯型オーディオ、テレビ、ビデオ、デジタルカメラ、カラオケ用マイク等のような情報端末機器や各種の電子機器等に好適に使用することが可能である。
【図面の簡単な説明】
【００５５】
【図１】本発明のカードコネクタをカード挿入口側から見た全体の斜視図である。
【図２】図１の平面図である。
【図３】図１の本発明のカードコネクタを、カバー部材を取外して示す図１と同様な斜視図である。
【図４】図３の本発明のカードコネクタの、カバー部材を取外して示す平面図である。
【図５】カード受け部材がフリー状態の時の斜視図である。
【図６】カード受け部材が下方に変位された状態で示す図５と同様な斜視図である。
【図７】図１の本発明のカードコネクタに小カードを挿入してカード受け部でカードを受けた時の、カバー部材を取外して示す平面図である。
【図８】図７の本発明のカードコネクタの、カバー部材を取外して示す側面図である。
【図９】図７の本発明のカードコネクタのカード受け部材でカードを受けている状態を示す斜視図である。
【図１０】図１の本発明のカードコネクタに、大カードを挿入する時の、カバー部材を取外して示す平面図である。
【図１１】図１０の本発明のカードコネクタに大カードを挿入した時の、カバー部材を取外して示す斜視図である。
【図１２】図１１に続いて大カードをさらに挿入した時の、カバー部材を取外して示す平面図である。
【図１３】図１２の本発明のカードコネクタに大カードをさらに挿入した時の、カバー部材を取外して示す斜視図である。
【符号の説明】
【００５６】
１          カードコネクタ
２          コネクタ本体
３          カバー部材
４          コンタクト
５          カード挿入切換機構
６          イジェクタ機構
７          カード装着部
８          カード受け部材
９          カード受け部
１０        カード挿入口
１１        側壁
１２        側壁
１３        端壁
１４        段差部
１５        上部段差部
１６        下部段差部
１７        端部
１８        アーム部
１９        自由端部
２１        イジェクタ部材
２２        ばね部材
２４        窪み部
２５        係合部
２６        突部
【図１】
2005158309.tif 000003
【図２】
2005158309.tif 000004
【図３】
2005158309.tif 000005
【図４】
2005158309.tif 000006
【図５】
2005158309.tif 000007
【図６】
2005158309.tif 000008
【図７】
2005158309.tif 000009
【図８】
2005158309.tif 000010
【図９】
2005158309.tif 000011
【図１０】
2005158309.tif 000012
【図１１】
2005158309.tif 000013
【図１２】
2005158309.tif 000014
【図１３】
2005158309.tif 000015